【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】
投資家の巨大な世界の間の独立した個人投資家の投資管理実績を計測し、ランク付けるコンピュータシステムであって、
少なくとも一つのサーバ・コンピュータであって、インターネット上にサイトを開くサーバソフトウエアを含み、個人投資家の情報についての、静的な、一般的には情報的ウエブページと、動的ウエブページとの両方の扱いを含み、前記情報は、個人投資家の要求に応答して進行中に生成される情報を含む、少なくとも一つのサーバ・コンピュータと、
少なくとも一つのデータベース・コンピュータ、ルータ、インタフェースであって、コンピュータ、ルータ、及び入力デバイス間でデータ変換用のデータ通信ネットワーク用の少なくとも一つのネットワーク・インタフェースと、サイト操作及び機能性を提供するアーキテクチャで前記サーバ・コンピュータとリンクした周辺の入力及び出力デバイスと、を含み、前記コンピュータは、少なくとも一つのプロセッサと、バスと結合されたメモリとを含み、前記メモリは、その中に記憶された、選択されたプログラム構造を含み、少なくとも一つのサーバ・システム・オペレーション構造、少なくとも一つの階層的データ記憶管理システム構造、及び選択されたアプリケーションプログラム構造を含み、前記プログラムは、操作、計算、アーカイブ、ソート、スクリーン、分類、フォーマット、表現、システムのプリント及び通信機能及び処理、から選ばれるシステムの機能性を実行する情報を含み、データレコードは、リレーショナル又は階層化データベースに選択的に構造化可能であって、データレコードは、選択的に関連付け可能、相互に関連、及び、随時払いであって、ユーザによって選択及び入力された一以上の金融証券を含む仮想及び実際のポートフォリオを生成及び管理するため、及び、ユーザが選択したポートフォリオ及び個人投資家の実績の解析を容易にする解析ツールを提供するため、及び、前記コンピュータシステムは、作成、送信および受信、アーカイブ、検索、注文、回復、及び、複数の投資家へ、前記投資家によって選択された選択に基づいて、各個人投資家を特定する情報を含む、金融情報の提示を提供する、通信ツールを提供する、少なくとも一つのデータベース・コンピュータ、ルータ、インタフェースと、によって特徴付けられる、コンピュータシステム。
【請求項２】
ａ）前記サイトのサーバは、複数の独立した個人投資家のそれぞれからの、投資家アクセス用入力装置によって、実際の金融証券に対応する少なくとも一つの金融証券を含む、少なくとも一つのミューチャル・ファンドタイプのモデルポートフォリオを生成するために、データ記入を受入れ、前記ポートフォリオは、前記システムによってユニークに前記各投資家に関連付けられ、
ｂ）前記コンピュータシステムは、複数の投資家の間の数的比較用のベースラインを生成するために、規定された開始点の時間における、ユニットの金銭的価値当たりの標準における前記ポートフォリオの各株式についての個人ｉＴＡＶ／ＮＡＶを前記各投資家に自動的に割り当て、前記割り当てられた値は、前記全ての投資家について同じであって、
ｃ）前記コンピュータシステムは、近接した実際の時間における前記各個人投資家による独立した金融証券取引を自動的に管理し、
ｄ）前記コンピュータ管理された取引は、前記個人投資家による仮想取引要求に実質的に一致する時間において実際のマーケットにおいて報告された対応する金融証券取引に対応させるように、前記仮想マーケットにおける仮想取引が前記コンピュータシステムによって前記システムによって決められた値で自動的に実行されるシミュレーションにおいて実際の前記金融証券に対応する仮想取引であって、
ｅ）前記コンピュータシステムは、前記所定値に基づく取引日基準での前記各投資家の前記個人ｉＴＡＶ／ＮＡＶを自動的に追跡し、
ｆ）前記コンピュータシステムは、少なくとも所定期間にわたる各投資家のユニット値あたりの個人ｉＴＡＶ／ＮＡＶのパーセント変化に基づいて、前記各投資家の実績を自動的に繰り返し投稿し、
ｇ）前記コンピュータシステムは、実際のマーケット又は他の個人投資家の少なくとも一つに対する個人投資家の実績をランク付ける、
請求項１に記載のコンピュータシステム。
【請求項３】
投資家のポートフォリオについての、ポートフォリオ階層化、ボラティリティー、マーケット・タイミングおよび会社のＧＳ／ＥまたはＧＥ／Ｓ比率の実績についての少なくとも一つの報告を生成し、個人投資家に提供する、請求項１に記載のコンピュータシステム。
【請求項４】
前記サーバによって管理されたウエブサイト上に個人投資家の実績のランキングを含む情報を自動的に投稿し、前記ウエブサイトは、個人投資家がマーケットに関する情報を投稿できる少なくとも一つの掲示板を有し、前記システムの掲示板の投資家の投稿は、投稿著者、投稿著者の個人投資家ポートフォリオのランキング、識別された金融証券、およびマーケットセクタの少なくとも１つによってソート可能である、請求項１に記載のコンピュータシステム。
【請求項５】
少なくとも一つの前記プログラム構造によって、各投資家の少なくとも１つのモデルポートフォリオのユニット値ごとの、個人のｉＴＡＶ／ＮＡＶのパーセント変化に基づいて個人投資家の実績を他の投資家に対して競争的にソート及びランク付を行うと共に、前記ランキングによって、所定期間、一連の期間、マーケットセクタ、及び総実績の少なくとも一つにおいて、ベスト投資家を決定する、請求項１に記載のコンピュータシステム。
【請求項６】
前記サーバは、前記競争における個人投資家の実績のランキングをウエブサイトに投稿し、前記ウエブサイトは、前記コンピュータシステムによって管理され、個人投資家が、マーケット、個人投資家による仮想取引、競争参加者、ランキングの少なくとも１つを投稿可能な、少なくとも一つの掲示板を有し、前記システムの掲示板の投資家の投稿は、投稿著者、投稿著者が有する個人投資家ポートフォリオ・ランキング、識別された金融証券、および、マーケットセクタの少なくとも一つにより、少なくとも一つの前記プログラム構造によってソート可能な、請求項４に記載のコンピュータシステム。
【請求項７】
前記プログラム構造は、個人投資家がアクセス可能であって、総投資実績向上の機会を投資家に前記サイトを介して提供するミューチャルファンドにおいて独立に取引できる、ミューチュアル・ファンド・スーパーマーケットの操作管理を含み、
前記コンピュータシステムによって、前記個人投資家が受け入れられると考えられる実績を持つ株取引証券会社へのアクセスを提供し、
前記コンピュータシステムによって、前記投資家によるクリックスルー注文の処理の料金、及び、前記投資家による取引における株の委託料金の分配のうち、少なくとも一つについての前記株取引証券会社による支払いを追跡し、
前記コンピュータシステムによって、前記投資家への株の販売における分配料金の前記ミューチャルファンドによる支払いを追跡する、
請求項１に記載のコンピュータシステム。
【請求項８】
投資情報サービス・インターネット・サイトのための訪問者ベースを作成用の、請求項１に記載のコンピュータシステムであって、
ａ）前記サイトによって、前記サイト訪問者による閲覧用に選択的に利用可能なコンピュータ管理された熟練した評価を投稿し、前記評価は、前記コンピュータシステムによって、前記訪問者とユニークに関連付けられた少なくとも１つの規則ベースの仮想投資ポートフォリオにおける取引のあらかじめ選択された期間にわたる管理を含み、前記ポートフォリオは、少なくとも一つの仮想金融証券と、少なくとも１つの実際の金融マーケットにおいて入手可能であって、対応する実際の証券を反映させる前記取引とを含み、
ｂ）前記コンピュータシステムによって、前記評価を前記サイトにアクセスする訪問者のものとみなし、みなされた訪問者に会員投資家として仮想投資家ポートフォリオの選択を提供し、少なくとも一つのユニークな仮想ポートフォリオ識別子を各会員ポートフォリオに割り当て、
ｃ）前記システムは、複数の会員間の前記評価を操作するものであって、前記操作は、以下の機能として、
ｉ）個々の各会員に、個々の会員の仮想ポートフォリオに関連した、ユニット値当たり少なくとも１つの開始ｉＴＡＶ／ＮＡＶを割り当て、
ｉｉ）前記会員の仮想ポートフォリオの仮想金融証券の前記会員による前記サイトを介した取引を、実質的に同時発生する実際の取引の対応する実際の証券に基づいて、取引額を割当てることによって管理し、
ｉｉｉ）少なくとも１つの前記実際のマーケットでの、対応する実際の証券実績の類似物として、前記仮想ポートフォリオの実績を自動的に追跡し、
ｉｖ）所定の時間間隔での、前記各会員のポートフォリオの実績を、そのｉＴＡＶ／ＮＡＶ値に基づいて、個々の会員に自動的に報告する、
操作を行い、
ｄ）前記コンピュータシステムは、前記会員がアクセス可能なウェブ・ページ、および前記会員への電子メールの少なくとも一つにおける、前記時間間隔における前記各会員の仮想ポートフォリオの実績を表す結果を、前記サイトに投稿し、
ｅ）前記コンピュータシステムは、複数会員のポートフォリオの実績の比較結果を、少なくとも１人の訪問客および会員を含む、他者による閲覧のための、前記サイト上に、定期的に自動的に投稿する、
請求項１に記載のコンピュータシステム。
【請求項９】
ａ）前記コンピュータシステムは、前記会員及び訪問者の少なくとも一人による投稿用の前記サイト上の少なくとも一つの掲示板を管理し、
ｂ）前記コンピュータシステムは、会員又は会員ランキングによって選択され特定された会員の実績ランキングによって、閲覧用の前記投稿を選択的にソートし、
ｃ）前記コンピュータシステムは、複数の会員間の競争として前記評価を操作し、所定の時間間隔における高順位にランク付けされ、ベストの投資家となるべき、あらかじめ選択された会員を特定する、
請求項８に記載のコンピュータシステム。
【請求項１０】
ａ）前記コンピュータシステムは、会員がする申込みを選択的に許可し、少なくとも一人の選択された他の会員の少なくとも一つのポートフォリオの実績に関連する情報へのアクセスを制御し、前記許可された申込みが、前記情報へのアクセスについて、少なくとも、無料、料金ベース、無料および料金ベースの組み合わせのいずれかであって、
ｂ）前記許可された申込み者は、前記システムによって、会員のランキングに基づいて、どの会員関連情報にアクセスできるか選択でき、
ｃ）前記システムによって利用可能とされた情報は、取引、および申し込んだ会員とは他の会員の投稿のうち、少なくとも１つに関する情報を含む、
請求項９に記載のコンピュータシステム。
【請求項１１】
前記システムは、ポートフォリオ階層化、ボラティリティー、マーケット・タイミング、および会社のＧＳ／ＥまたはＧＥ／Ｓ比率の実績の報告を選択的に生成する、請求項８に記載のコンピュータシステム。
【請求項１２】
請求項１に記載のコンピュータシステムであって、ベスト投資家マネージャを識別するものであって、
ａ）所与のグループの金融証券の中から、候補投資マネージャによって選ばれる、少なくとも１つの金融証券の、少なくとも１つのポートフォリオにおける投資ファンドの事前に選択した合計額を、複数の候補投資マネージャに割り当て、各前記ポートフォリオの株式のための開始時の個人の純資産価額（ｉＴＡＶ／ＮＡＶ）を決定し、
ｂ）前記候補による選択に基づいて前記証券の取引を自動的に遂行し、
ｃ）前記システムは、事前に選択した間隔で、各ポートフォリオでの株式のためのｉＴＡＶ／ＮＡＶ内の僅かな変化を自動的に決定し、
ｄ）前記システムは、事前に選択した期間のｉＴＡＶ／ＮＡＶの僅かな変化に基づき、ポートフォリオ内の実績のランキングを自動的に決定し、
ｅ）前記システムは、少なくとも１つの候補を、事前に選択した期間のｉＴＡＶ／ＮＡＶの所与のポジティヴな増加のレベルを提供した、少なくとも１つのポートフォリオに基づいて、ベスト投資家マネージャとして自動的に識別する、
コンピュータシステム。
【請求項１３】
ａ）前記システムは、前記ファンドを仮想的に割当て、ポートフォリオ証券は実際の証券の仮想類似物であり、前記プログラムによって実行された前記取引は、実際のマーケットで対応する実際の取引の前記システムへの入力に基づいて、前記実際の証券の実際のマーケットを実質的に反映した仮想取引であり、さらに、前記取引期間は、少なくとも１つの実績評価の第１ラウンドからなり、
ｂ）前記システムは、事前に選択した適格値より大きい、少なくとも１つの選択期間のＮＡＶのポジティヴな僅かな変更を有する、少なくとも１つのポートフォリオを有する、各候補マネージャを識別し、少なくとも競争の第２ラウンドで、更なる投資のためのファンドの第２合計を前記候補に割当て、
ｃ）前記システムは、マネージャ候補の中からベスト投資家を決定する前に、事前に選択したラウンド数の前記競争を操作する、
請求項１２に記載のコンピュータシステム。
【請求項１４】
ポートフォリオ階層化、ボラティリティー、マーケット・タイミング、および会社のＧＳ／ＥまたはＧＥ／Ｓ比率の実績の少なくとも一つの報告を表示するために生成する、請求項１３に記載のコンピュータシステム。
【請求項１５】
割り当てられた前記ファンドは実際のお金であり、前記証券が実際の株式証券であり、さらに、コンピュータで実行される前記取引は実際のマーケットにおいて遂行される、請求項１２に記載のコンピュータシステム。
【請求項１６】
少なくとも一つの前記プログラム構造は、実行可能なコードを含み、前記実行可能なコードによって、メッセージ著者会員が、投資および／またはマーケットに関連したメッセージを投稿する、投資指向のインターネット会議室の信号対ノイズ比率を改善するための、複数の独立した会員著者からのデータ入力の自動的な管理を提供し、
ａ）少なくとも１つの個人ＮＡＶを、それぞれの前記会員著者に割り当て、
ｂ）前記個人ＮＡＶに基づき、会員著者の実績ランキングを決定し、
ｃ）各会員著者の少なくとも選択された投資の、少なくとも１つの相対実績ランキングを、前記著者の少なくとも１つの識別子に関連づけ、
ｄ）ソートエンジンで、少なくとも１つの著者および著者ランキングによって、数千の会員の投稿にわたって選択的高速ソートを可能にし、
ｅ）少なくとも１つの事前に選択した期間にわたる、個人ＮＡＶの相対パーセント変化に基づいて、それらの実績ランキングによって定まるように、所与数の会員だけにより、メッセージ投稿を許可する、
請求項１に記載のコンピュータシステム。
【請求項１７】
前記コミュニケーションデバイスは、前記実行可能な操作プログラム構造コードによって選択的にアクセス可能であって、以下のａ）からｍ）、
ａ）  全体的な実績報告
ｂ）  ボラティリティー報告
ｃ）  階層化報告
ｄ）  マーケット・タイミング報告
ｅ）  表、図またはグラフィック・フォーマットの、ＧＳ／ＥまたはＧＥ／Ｓ比率
ｆ）  トップ投資パフォーマ分析
ｇ）  投資アイデア交換のための個人的な会議室
ｈ）  ファンドバロメータ報告
ｉ）  トップ・パフォーミング投資家による、取引についての報告
ｊ）  ソート可能なランキングの投資アイデア・フォーラムまたは掲示板
ｋ）  ソート可能な投資家の投資アイデア又はコメント・フォーラム又は掲示板
ｌ）  個人的なポートフォリオの追跡
ｍ）  ファンダメンタルズ分析
の少なくとも１つを表現する、前記投資家によって前記システムに入力された選択に基づくデータを、少なくとも数名の個人投資家に提供することを含む、請求項１に記載のコンピュータシステム。
【請求項１８】
個人投資家のスタイルを決定するコンピュータシステムであって、少なくとも一つのプロセッサと、バスと結合されたメモリとによって特徴付けられ、コンピュータ、ルータ、及び入力デバイス間でデータ変換用のデータ通信ネットワーク用の少なくとも一つのネットワーク・インタフェースと、操作性及び機能性を提供するアーキテクチャで前記サーバ・コンピュータとリンクした周辺の入力及び出力デバイスと、を含み、前記メモリは、その中に記憶された、選択されたプログラム構造を含むと共に、少なくとも一つのサーバ・システム・オペレーション構造、少なくとも一つの階層的データ記憶管理システム構造、及び選択されたアプリケーションプログラム構造を含み、前記プログラムは、操作、計算、アーカイブ、ソート、スクリーン、分類、フォーマット、表現、システムのプリント及び通信機能及び処理、から選ばれるシステムの機能性を実行する情報を含み、データレコードはリレーショナル又は階層化データベースに選択的に構造化可能であって、データレコードは、選択的に関連付け可能、相互に関連、及び、随時払いであって、ユーザによって選択及び入力された一以上の金融証券を含む仮想及び実際のポートフォリオを生成及び管理するため、及び、ユーザが選択したポートフォリオ及び個人投資家の実績の解析を容易にする解析ツールを提供するため、及び、前記コンピュータシステムは、作成、送信および受信、アーカイブ、検索、注文、回復、及び、ユーザへの金融情報の提示を提供し、前記情報はユーザによって選択された選択に基づいて、各ユーザを特定する情報を含む、通信ツールを提供し、前記実行可能プログラム構造は、ユーザの入力に応答して以下のコードとして、
ａ）投資期間の選択と、
ｂ）証券（ｓｅｃｕｒｉｔｙ）により選択された投資期間の証券リターンの一覧と、
ｃ）投資期間における各証券によって発生するリターンによるポートフォリオのソートと、
ｄ）実績による、ポートフォリオ証券の少なくとも３つのグループへの分割と、
ｅ）トップおよびボトム・グループの投資間の類似の決定と、
ｆ）ボトム・グループの株の種類と対比して、トップ・グループの株の種類に基づいた、注文用の株の特徴の選択的な採取と、
を含む、コンピュータシステム。
【請求項１９】
前記実行可能なプログラム構造コードによって、ポートフォリオからなるマーケット可能な証券（ｓｅｃｕｒｉｔｉｅｓ）の頻繁な取引が、ポートフォリオ実績を補助しているか否かを決定することを提供するものであって、
ａ）前記証券取引を、売りと買いに分割し、
ｂ）全ての買いについて、分析を実行する以下のステップ、
ｉ）その取引日付の各証券の取引価格と、事前に選択した９０日以下の後の時間の前記証券の価格とを比較するステップと、
ｉｉ）前記取引日付と、前記事前に選択した後の時間との間の期間として定義される、事前に選択した期間の平均価格変化を算出するステップと、
を含み、
ｃ）ステップｂ）を、全ての売りについて繰り返し、
ｄ）買いの平均価格変化を、売りの平均価格変化と比較し、
ｅ）前記事前に選択した期間の取引は、買い平均価格変化が売り平均価格変化を上回るか否かに基づき、ポートフォリオ・リターンを改善したかを決定する、
請求項１８に記載のコンピュータシステム。
【請求項２０】
前記ステップｂ）およびｃ）からの前記データは、電子データ構造、視覚電子プレゼンテーションおよびハードコピー・プレゼンテーションから選択されるグラフィック・フォーマットでコンピュータ表示される、請求項１９に記載のコンピュータシステム。
【請求項２１】
前記実行可能なプログラムコードによって、ポートフォリオへのその株を含めるために、少なくとも１つの会社の評価を提供するものであって、
ａ）会社実績が評価される期間を含む、複数の四半期の投資期間を選び、
ｂ）少なくとも現在の四半期ベースの、前記会社の選ばれた財務データを収集し、前記財務データは前記四半期内の、販売および収益の数値を含み、
ｃ）前の四半期の終わり、および今の四半期の終わりの間の期間が、前記投資期間に一致するような、前の同等の四半期から対応する販売および所得の数値を収集し、
ｄ）それぞれ、各前記四半期における販売成長および所得成長を定めるために、販売および所得におけるパーセンテージ変化を決定し、
ｅ）所得成長および販売成長の比である、ＧＳ／ＥまたはＧＥ／Ｓ比率を決定し、
ｆ）前記会社のＧＳ／ＥまたはＧＥ／Ｓ比率の大きさに少なくとも部分的に基づいて、選択された投資決定をする、
請求項１８に記載のコンピュータシステム。
【請求項２２】
前記評価コードによって、ポートフォリオからなる一組の会社株のうちの１つである会社株の選択を提供するものであって、
ａ）前記ポートフォリオの各会社株のＧＳ／ＥまたはＧＥ／Ｓ比率を決定し、
ｂ）ポートフォリオの総値に対するポートフォリオ内のその割当のマーケット価格に比例して、ポートフォリオ内の各会社株の相対的重みを決定し、
ｃ）前記ポートフォリオの各会社株の相対的重みを、グラフ上の領域、前記領域の大きさ、全ポートフォリオ証券のマーケット価格に対する前記ポートフォリオ内の各会社株のマーケット価格を表す、ＧＳ／ＥおよびＧＥ／Ｓ比率泡として表示し、
ｄ）ＧＳ／ＥまたはＧＥ／Ｓ比率泡のサイズおよび位置の時間に対する変化を追跡する、
請求項２１に記載のコンピュータシステム。
【請求項２３】
前記コードによって、データセットとしてＧＳ／ＥまたはＧＥ／Ｓ比率を提供するものであって、前記セットは、縦座標及び横座標の少なくとも一方に所得成長、他方に販売成長とする表又はグラフィック・フォーマットから選択され、前記システムによって、前記データセットから選択される情報を、電子構造データ、視覚的電子プレゼンテーション、及びハードコピーから選ばれる少なくとも一つのモードで表示する、請求項２１に記載のコンピュータシステム。
【請求項２４】
前記会社内での相対的資源割当てを決定するために、販売および所得が確認可能な前記会社の、少なくとも１つのプロフィット・センターを自動的に評価するコンピュータシステムであって、少なくとも一つのプロセッサと、バスと結合されたメモリとによって特徴付けられ、コンピュータ、ルータ、及び入力デバイス間でデータ変換用のデータ通信ネットワーク用の少なくとも一つのネットワーク・インタフェースと、操作性及び機能性を提供するアーキテクチャで前記サーバ・コンピュータとリンクした周辺の入力及び出力デバイスと、を含み、前記メモリは、その中に記憶された、選択されたプログラム構造を含むと共に、少なくとも一つのサーバ・システム・オペレーション構造、少なくとも一つの階層的データ記憶管理システム構造、及び選択されたアプリケーションプログラム構造を含み、前記プログラムは、操作、計算、アーカイブ、ソート、スクリーン、分類、フォーマット、表現、システムのプリント及び通信機能及び処理、から選ばれるシステムの機能性を実行する情報を含み、
データレコードはリレーショナル又は階層化データベースに選択的に構造化可能であって、データレコードは、選択的に関連付け可能、相互に関連、及び、随時払いであって、ユーザによって選択及び入力された一以上の金融証券を含む仮想及び実際のポートフォリオを生成及び管理するため、及び、ユーザが選択したポートフォリオ及び個人投資家の実績の解析を容易にする解析ツールを提供するため、及び、前記コンピュータシステムは、作成、送信および受信、アーカイブ、検索、注文、回復、及び、ユーザへの金融情報の提示を提供し、前記情報はユーザによって選択された選択に基づいて、各ユーザを特定する情報を含む、通信ツールを提供し、以下のコードとして、
ａ）前記企業収益中心実績が評価される期間を含む、複数の四半期投資期間を選択するステップと、
ｂ）少なくとも目下の四半期ベースの、前記会社のプロフィット・センターの選ばれた前記四半期内の販売および収益の数値を含んだ、財務データを収集するステップと、
ｃ）前の四半期の終わり、および今の四半期の終わりの間の期間が、前記投資期間に一致するような、同等の前の四半期の、会社プロフィット・センターのための、対応する販売および所得の数値を収集するステップと、
ｄ）それぞれ、各前記四半期の販売成長および所得成長を定めるために、販売および所得におけるパーセンテージ変化を決定するステップと、
ｅ）所得成長および販売成長、ＧＳ／ＥまたはＧＥ／Ｓ比率、の比を決定するステップと、
ｆ）ＧＳ／ＥまたはＧＥ／Ｓ比率を、縦座標および横座標のうち、少なくとも１本が所得成長およびもう一方が販売成長であるグラフ上にプロットするステップと、
ｇ）少なくとも部分的には、前記会社のプロフィット・センターの、ＧＳ／ＥまたはＧＥ／Ｓ比率の大きさに基づく、前記会社に関する、選択された資源割当て決定をするステップと、
を含む、コンピュータシステム。
【請求項２５】
前記コード及びメモリ構造によって、一組の会社のプロフィット・センターの一つの選択を提供するものであって、前記会社プロフィット・センターは、以下のコード構造として、
ａ）前記会社の選択された複数のプロフィット・センターのＧＳ／ＥまたはＧＥ／Ｓ比率を決定するステップと、
ｂ）前記プロフィット・センターに割り当てた設備投資が、前記会社の選択された他のプロフィット・センターの設備投資に比例する、前記会社の選択された各プロフィット・センターの相対的な重みを決定するステップと、
ｃ）選択した各プロフィット・センター設備投資を、グラフ上の領域として描写し、前記領域、ＧＳ／ＥまたはＧＥ／Ｓ比率泡の大きさが、前記会社の選択された他のプロフィット・センターの合計パーセンテージを表す、
ｄ）ＧＳ／ＥまたはＧＥ／Ｓ比率泡の位置およびサイズの時間に対する変化を追跡するステップと、
を含む、請求項２４に記載のコンピュータシステム。
【請求項２６】
前記コード及びメモリ構造によって、データセットとしてＧＳ／ＥまたはＧＥ／Ｓ比率の視覚的表示を提供するものであって、前記セットは、表又はグラフィック・フォーマットから選択され、前記システムは、ＧＳ／ＥまたはＧＥ／Ｓ比率泡のデータセットの動的な表示用の実行可能なコード構造を含み、前記表及びグラフィック・フォーマットは、電子データ構造、視覚的電子プレゼンテーション、及びハードコピーから選ばれる少なくとも一つのモードで表示可能である、請求項２５に記載のコンピュータシステム。
【請求項２７】
前記コード及びメモリ構造によって、少なくとも一つの会社プロフィット・センターの関連した財政実績データの一組の表示を提供し、前記表示可能な一組は、
ａ）前記少なくとも１つの企業収益中心実績が評価される、複数四半期の投資期間を表すデータと、
ｂ）前記会社プロフィット・センターの選択された四半期の財務データの第１サブセットであって、前記データは、今四半期の資本、販売および所得数値から選択されている、第１サブセットと、
ｃ）選択された四半期の前記会社プロフィット・センターの財務データの第２サブセットであって、前記データは、前四半期の終わり、および今四半期の終わりの間の期間が、前記投資期間に一致するように、選択された前四半期の、資本、対応する販売および所得の数値を含んでいる、第２サブセットと、
ｄ）それぞれ前記四半期の各々における資本、販売および所得成長の決定因としての、前記選択された四半期の各々における資本、販売および所得のパーセンテージ変化と、
ｅ）所得成長および販売成長との比である、ＧＳ／Ｅ比率と、
ｆ）表、グラフィック・アドレスの少なくとも１つから選択した、前記ＧＳ／ＥまたはＧＥ／Ｓ比率の表示のためのアドレスと、
によって特徴付けられる、請求項２４に記載のコンピュータシステム。
【請求項２８】
前記メモリ構造のデータセットは、少なくとも一つの会社の複数のプロフィット・センターにおけるデータを含み、前記データセットは、
ａ）全プロフィット・センターに投資される総資本に対する、各プロフィット・センターに投資される資本の量を表す、領域、ＧＳ／ＥまたはＧＥ／Ｓ比率泡と、
ｂ）ＧＳ／ＥまたはＧＥ／Ｓ比率泡の時間に対する変化を表すデータと、
を含む、請求項２７に記載のコンピュータシステム。
【請求項２９】
前記メモリ構造は、
ａ）データセットとして、ポートフォリオの全ての証券のマーケット価格に対する、前記ポートフォリオの各会社株のマーケット価格を表す、ポートフォリオ、領域、ＧＳ／ＥまたはＧＥ／Ｓ比率泡、を含む複数の会社株と、
ｂ）ＧＳ／ＥまたはＧＥ／Ｓ比率泡の時間に対する変化を表すデータと、
を含むデータベースを有する、請求項２７に記載のコンピュータシステム。